(57)【要約】【課題】無線通信システムにおいて、送信側機器が信号を送信する方法に関する。【解決手段】送信側機器は、主同期信号(ＰＳＳ)、補助同期信号(ＳＳＳ)及び物理発送チャンネル(ＰＢＣＨ)信号を時間周波数領域で多重化して多重化されたブロックを構成し、ＰＳＳとＳＳＳは、ＴＤＭ方式で多重化されてＳＳを構成して、ＳＳとＰＢＣＨ信号は、ＴＤＭ又はＦＤＭ方式で多重化されて多重化されたブロックを構成する。【選択図】図６
2019526965.tif 000002
【特許請求の範囲】
【請求項１】
無線通信システムにおいて、送信側機器が信号を送信する方法であって、
主同期信号(ＰＳＳ：Ｐｒｉｍａｒｙ Ｓｙｎｃｈｒｏｎｉｚａｔｉｏｎ Ｓｉｇｎａｌ)、補助同期信号(ＳＳＳ：Ｓｅｃｏｎｄａｒｙ Ｓｙｎｃｈｒｏｎｉｚａｔｉｏｎ Ｓｉｇｎａｌ)及び物理放送チャンネル(ＰＢＣＨ：Ｐｈｙｓｉｃａｌ Ｂｒｏａｄｃａｓｔ Ｃｈａｎｎｅｌ)信号を時間周波数領域で多重化して多重化されたブロックを構成して、
前記ＰＳＳと前記ＳＳＳはＴＤＭ(Ｔｉｍｅ Ｄｉｖｉｓｉｏｎａｌ Ｍｕｌｔｉｐｌｅｘｉｎｇ)方式で多重化されてＳＳ(Ｓｙｎｃｈｒｏｎｉｚａｔｉｏｎ Ｓｉｇｎａｌ)を構成して、
前記ＳＳと前記ＰＢＣＨ信号はＴＤＭ又はＦＤＭ(Ｆｒｅｑｕｅｎｃｙ Ｄｉｖｉｓｉｏｎａｌ Ｍｕｌｔｉｐｌｅｘｉｎｇ)方式で多重化されて前記多重化されたブロックを構成して、
前記多重化されたブロックを受信側機器に送信することを含む、信号送信方法。
【請求項２】
前記ＰＢＣＨ信号は、１２ＲＢ(Ｒｅｓｏｕｒｃｅ Ｂｌｏｃｋ)のリソースによって送信され、
前記ＰＢＣＨ信号が送信されるＲＢ別に２個のＤＭＲＳ送信用ＲＥ(Ｒｅｓｏｕｒｃｅ Ｅｌｅｍｅｎｔ)が割り当てられる請求項１に記載の信号送信方法。
【請求項３】
前記ＰＳＳと前記ＳＳＳは、同一の帯域幅を有する、請求項１に記載の信号送信方法。
【請求項４】
前記ＰＢＣＨ信号は、前記ＳＳとＴＤＭ方式で多重化されて、
前記ＰＢＣＨ信号が前記ＳＳと同一の帯域幅を有する場合、前記ＰＢＣＨは複数のＯＦＤＭシンボルを介して送信される、請求項３に記載の信号送信方法。
【請求項５】
前記ＰＢＣＨ信号は、前記ＳＳとＴＤＭ方式で多重化されて、
前記ＰＢＣＨ信号は、１ＯＦＤＭシンボルを介して前記ＳＳの帯域幅よりも広い帯域幅によって送信される、請求項３に記載の信号送信方法。
【請求項６】
前記ＰＢＣＨ信号は、前記ＳＳとＦＤＭ方式で多重化されて、
前記ＰＢＣＨ信号は、前記ＳＳが送信される周波数の位置と隣接した両側のサブバンドによって送信される、請求項３に記載の信号送信方法。
【請求項７】
前記ＰＳＳのサブキャリア間隔は、前記ＳＳＳのサブキャリア間隔よりも広く、
前記ＰＢＣＨ信号のサブキャリア間隔は、前記ＳＳＳのサブキャリア間隔と同一である、請求項３に記載の信号送信方法。
【請求項８】
さらに、前記送信側機器が制御情報を前記受信側機器に複数のアンテナポート(ＡＰ)を介して送信することを含み、
前記複数のＡＰはＤＭＲＳ(Ｄｅｍｏｄｕｌａｔｉｏｎ Ｒｅｆｅｒｅｎｃｅ Ｓｉｇｎａｌ)を共有して使用する、請求項１に記載の信号送信方法。
【請求項９】
前記制御情報は、複数の周波数リソースをグルーピングした周波数単位ベースで割り当てられて送信され、
互いに異なるＡＰを介して送信される前記制御情報は、互いに異なる周波数単位を用いて送信される、請求項８に記載の信号送信方法。
【請求項１０】
無線通信システムにおいて、信号を送信する装置であって、
主同期信号(ＰＳＳ：Ｐｒｉｍａｒｙ Ｓｙｎｃｈｒｏｎｉｚａｔｉｏｎ Ｓｉｇｎａｌ)、補助同期信号(ＳＳＳ：Ｓｅｃｏｎｄａｒｙ Ｓｙｎｃｈｒｏｎｉｚａｔｉｏｎ Ｓｉｇｎａｌ)及び物理放送チャンネル(ＰＢＣＨ：Ｐｈｙｓｉｃａｌ Ｂｒｏａｄｃａｓｔ Ｃｈａｎｎｅｌ)信号を時間周波数領域で多重化して多重化されたブロックを構成して、前記ＰＳＳと前記ＳＳＳはＴＤＭ(Ｔｉｍｅ Ｄｉｖｉｓｉｏｎａｌ Ｍｕｌｔｉｐｌｅｘｉｎｇ)方式で多重化されてＳＳ(Ｓｙｎｃｈｒｏｎｉｚａｔｉｏｎ Ｓｉｇｎａｌ)を構成して、前記ＳＳと前記ＰＢＣＨ信号はＴＤＭ又はＦＤＭ(Ｆｒｅｑｕｅｎｃｙ Ｄｉｖｉｓｉｏｎａｌ Ｍｕｌｔｉｐｌｅｘｉｎｇ)方式で多重化されて前記多重化されたブロックを構成するプロセッサー；及び
前記多重化されたブロックを受信側機器に送信する送受信機を含む、信号送信装置。
【請求項１１】
前記ＰＢＣＨ信号は、１２ＲＢ(Ｒｅｓｏｕｒｃｅ Ｂｌｏｃｋ)のリソースを介して送信され、
前記ＰＢＣＨ信号が送信されるＲＢ別に２個のＤＭＲＳ送信用ＲＥ(Ｒｅｓｏｕｒｃｅ Ｅｌｅｍｅｎｔ)が割り当てられる、請求項１０に記載の信号送信装置。
【請求項１２】
前記プロセッサーは、前記ＰＳＳと前記ＳＳＳが同一の帯域幅を有するように構成する、請求項１０に記載の信号送信装置。
【請求項１３】
前記プロセッサーは、前記ＰＢＣＨ信号を前記ＳＳとＴＤＭ方式で多重化して、
前記ＰＢＣＨ信号が前記ＳＳと同一の帯域幅を有する場合、前記プロセッサーは、前記ＰＢＣＨを複数のＯＦＤＭシンボルを介して送信するように送受信機を制御する、請求項１２に記載の信号送信装置。
【請求項１４】
前記プロセッサーは、前記ＰＢＣＨ信号を前記ＳＳとＴＤＭ方式で多重化して、
前記プロセッサーは、前記ＰＢＣＨ信号が1ＯＦＤＭシンボルを介して前記ＳＳの帯域幅よりも広い帯域幅によって送信されるように前記送受信機を制御する、請求項１２に記載の信号送信装置。
【請求項１５】
前記プロセッサーは、前記ＰＢＣＨ信号を前記ＳＳとＦＤＭ方式で多重化して、
前記プロセッサーは、前記ＰＢＣＨ信号を前記ＳＳが送信される周波数位置と隣接した両側のサブバンドを介して送信されるように前記送受信機を制御する、請求項１２に記載の信号送信装置。
【発明の詳細な説明】
【技術分野】
【０００１】
以下、５Ｇ無線通信システムにおいて、放送チャンネル信号を送受信する方法及びそのための装置に関して説明する。
【背景技術】
【０００２】
近来、移動通信技術に対する標準化は、ＬＴＥ及びＬＴＥ−Ａのような４Ｇ移動通信技術を経て５Ｇ移動通信に関する研究に至った。３ＧＰＰでは、５Ｇ移動通信はＮＲ(Ｎｅｗ Ｒａｄｉｏ)と称する。
【０００３】
今までのＮＲシステム設計要求事項には、非常に異なる(ｄｉｖｅｒｇｅｎｔ)要求事項が存在することが分かる。例えば、使用周波数帯域は７００ＭＨｚ〜７０ＧＨｚ、システム帯域幅は５ＭＨｚ〜１ＧＨｚ、移動速度は０ｋｍ／ｈ〜５００ｋｍ／ｈ、及び使用環境は室内、室外、大きいセルなどと様々な状況に対する支援が求まれている。
【０００４】
このように様々な要求事項が存在する状況において、最も一般的な設計方向は、上述した様々な状況のうち、最悪の状況を想定した上、システムを設計することである。
【発明の概要】
【発明が解決しようとする課題】
【０００５】
ただし、極端な環境を想定して、単一パターンで信号を送信することは、リソース効率において非常に非効率的である。この問題は、必須のシステム情報送信に用いられるＰＢＣＨ(Ｐｈｙｓｉｃａｌ Ｂｒｏａｄｃａｓｔ Ｃｈａｎｎｅｌ)信号の送信においても同様である。
【０００６】
端末(ＵＥ)が初期にセルに接続するためには、同期取得及びセルＩＤ取得のための同期信号(ＳＳ：Ｓｙｎｃｈｒｏｎｉｚａｔｉｏｎ Ｓｉｇｎａｌ)と必須のシステム情報送信のための上述したＰＢＣＨ信号を取得する必要があり、ＮＲシステムの様々な環境下において、このような信号を効率的に送受信するための検討が求められる。
【課題を解決するための手段】
【０００７】
上述した課題を解決するための本発明の一実施例によれば、無線通信システムにおいて、送信側機器が信号を送信する方法であって、主同期信号(ＰＳＳ：Ｐｒｉｍａｒｙ Ｓｙｎｃｈｒｏｎｉｚａｔｉｏｎ Ｓｉｇｎａｌ)、補助同期信号(ＳＳＳ：Ｓｅｃｏｎｄａｒｙ Ｓｙｎｃｈｒｏｎｉｚａｔｉｏｎ Ｓｉｇｎａｌ)及び物理放送チャンネル(ＰＢＣＨ：Ｐｈｙｓｉｃａｌ Ｂｒｏａｄｃａｓｔ Ｃｈａｎｎｅｌ)信号を時間周波数領域で多重化して多重化されたブロックを構成して、ＰＳＳとＳＳＳはＴＤＭ(Ｔｉｍｅ Ｄｉｖｉｓｉｏｎａｌ Ｍｕｌｔｉｐｌｅｘｉｎｇ)方式で多重化されてＳＳ(Ｓｙｎｃｈｒｏｎｉｚａｔｉｏｎ Ｓｉｇｎａｌ)を構成して、ＳＳとＰＢＣＨ信号はＴＤＭ又はＦＤＭ(Ｆｒｅｑｕｅｎｃｙ Ｄｉｖｉｓｉｏｎａｌ Ｍｕｌｔｉｐｌｅｘｉｎｇ)方式で多重化されて多重化されたブロックを構成して、多重化されたブロックを受信側機器に送信することを含む、信号送信方法を提案する。
【０００８】
ＰＢＣＨ信号は、１２ＲＢ(Ｒｅｓｏｕｒｃｅ Ｂｌｏｃｋ)のリソースによって送信され、ＰＢＣＨ信号が送信されるＲＢ別に２個のＤＭＲＳ送信用ＲＥ(Ｒｅｓｏｕｒｃｅ Ｅｌｅｍｅｎｔ)が割り当てられてもよい。
【０００９】
ＰＳＳとＳＳＳは、同一の帯域幅を有することが望ましい。
【００１０】
ＰＢＣＨ信号は、ＳＳとＴＤＭ方式で多重化されてもよく、ＰＢＣＨ信号がＳＳと同一の帯域幅を有する場合、ＰＢＣＨは複数のＯＦＤＭシンボルを介して送信されてもよい。
【００１１】
また、ＰＢＣＨ信号は、ＳＳとＴＤＭ方式で多重化されてもよく、ＰＢＣＨ信号は、１ＯＦＤＭシンボルを介してＳＳの帯域幅よりも広い帯域幅によって送信されてもよい。
【００１２】
これとは異なり、ＰＢＣＨ信号は、ＳＳとＦＤＭ方式で多重化されてもよく、ＰＢＣＨ信号は、ＳＳが送信される周波数の位置と隣接した両側のサブバンドによって送信されてもよい。
【００１３】
ＰＳＳのサブキャリア間隔は、ＳＳＳのサブキャリア間隔よりも広く、ＰＢＣＨ信号のサブキャリア間隔は、ＳＳＳのサブキャリア間隔と同一であってもよい。
【００１４】
さらに、送信側機器が制御情報を受信側機器に複数のアンテナポート(ＡＰ)を介して送信することを含み、複数のＡＰはＤＭＲＳ(Ｄｅｍｏｄｕｌａｔｉｏｎ Ｒｅｆｅｒｅｎｃｅ Ｓｉｇｎａｌ)を共有して使用してもよい。
【００１５】
制御情報は、複数の周波数リソースをグルーピングした周波数単位ベースで割り当てられて送信され、互いに異なるＡＰを介して送信される制御情報は、互いに異なる周波数単位を用いて送信されてもよい。
【００１６】
一方、本発明の別の一実施例によれば、無線通信システムにおいて、信号を送信する装置であって、主同期信号(ＰＳＳ：Ｐｒｉｍａｒｙ Ｓｙｎｃｈｒｏｎｉｚａｔｉｏｎ Ｓｉｇｎａｌ)、補助同期信号(ＳＳＳ：Ｓｅｃｏｎｄａｒｙ Ｓｙｎｃｈｒｏｎｉｚａｔｉｏｎ Ｓｉｇｎａｌ)及び物理放送チャンネル(ＰＢＣＨ：Ｐｈｙｓｉｃａｌ Ｂｒｏａｄｃａｓｔ Ｃｈａｎｎｅｌ)信号を時間周波数領域で多重化して多重化されたブロックを構成して、ＰＳＳとＳＳＳはＴＤＭ(Ｔｉｍｅ Ｄｉｖｉｓｉｏｎａｌ Ｍｕｌｔｉｐｌｅｘｉｎｇ)方式で多重化されてＳＳ(Ｓｙｎｃｈｒｏｎｉｚａｔｉｏｎ Ｓｉｇｎａｌ)を構成して、ＳＳとＰＢＣＨ信号はＴＤＭ又はＦＤＭ(Ｆｒｅｑｕｅｎｃｙ Ｄｉｖｉｓｉｏｎａｌ Ｍｕｌｔｉｐｌｅｘｉｎｇ)方式で多重化されて多重化されたブロックを構成するプロセッサー、及び多重化されたブロックを受信側機器に送信する送受信機を含む、信号送信装置を提案する。
【００１７】
ＰＢＣＨ信号は、１２ＲＢ(Ｒｅｓｏｕｒｃｅ Ｂｌｏｃｋ)のリソースを介して送信され、ＰＢＣＨ信号が送信されるＲＢ別に２個のＤＭＲＳ送信用ＲＥ(Ｒｅｓｏｕｒｃｅ Ｅｌｅｍｅｎｔ)が割り当てられてもよい。
【００１８】
プロセッサーは、ＰＳＳとＳＳＳが同一の帯域幅を有するように構成してもよい。
【００１９】
プロセッサーは、ＰＢＣＨ信号をＳＳとＴＤＭ方式で多重化して、ＰＢＣＨ信号がＳＳと同一の帯域幅を有する場合、プロセッサーは、ＰＢＣＨを複数のＯＦＤＭシンボルを介して送信するように送受信機を制御してもよい。
【００２０】
プロセッサーは、ＰＢＣＨ信号をＳＳとＴＤＭ方式で多重化して、プロセッサーは、ＰＢＣＨ信号が1ＯＦＤＭシンボルを介してＳＳの帯域幅よりも広い帯域幅によって送信されるように送受信機を制御してもよい。
【００２１】
プロセッサーは、ＰＢＣＨ信号をＳＳとＦＤＭ方式で多重化して、プロセッサーは、ＰＢＣＨ信号をＳＳが送信される周波数位置と隣接した両側のサブバンドを介して送信されるように送受信機を制御してもよい。
【発明の効果】
【００２２】
上述のような本発明によれば、様々な要求事項が存在する状況においても、効率的にＰＢＣＨ信号を送信することができる。
【００２３】
本発明で得られる効果は以上に言及した効果に制限されなく、以下の説明の具体的な実施例において追加して説明する。
【図面の簡単な説明】
【００２４】
【図１】基本ＣＰを用いる場合及び拡張ＣＰを用いる場合に同期信号及び放送チャンネル信号を送信する方式を説明するための図である。
【図２】基本ＣＰを用いる場合及び拡張ＣＰを用いる場合に同期信号及び放送チャンネル信号を送信する方式を説明するための図である。
【図３】論理領域における２つのシーケンスが物理領域においてインタリービングされてマッピングされることを示す図である。
【図４】本発明の一実施例によるＰＢＣＨ信号の構造を説明するための図である。
【図５】本発明の一実施例によるＳＳブロックの概念を説明するための図である。
【図６】本発明の各実施例によって、ＰＢＣＨをＳＳと多重化する方法を説明するための図である。
【図７】本発明の一実施例によって、ユニット当たり４個のアンテナポート(ＡＰ)を用いる場合、制御チャンネル情報を送信する例を示す図である。
【図８】本発明の一実施例によって、ユニット当たり４個のアンテナポート(ＡＰ)を用いる場合、制御チャンネル情報を送信する例を示す図である。
【図９】本発明の一実施例によって、ユニット当たり４個のアンテナポートを用いるＤｉｓｃｏｖｅｒｙ ＲＳを送信する例を示す図である。
【図１０】本発明の一実施例によって、ユニット当たり４個のアンテナポートを用いるＤｉｓｃｏｖｅｒｙ ＲＳを送信する例を示す図である。
【図１１】本発明の別の一実施例によって、ユニット当たり２個のアンテナポートを用いる場合の制御チャンネル送信の形態を示す図である。
【図１２】本発明の別の一実施例によって、ユニット当たり２個のアンテナポートを用いる場合の制御チャンネル送信の形態を示す図である。
【図１３】本発明の別の一実施例によって、ユニット当たり２個のアンテナポートを用いる場合のＤｉｓｃｏｖｅｒｙ ＲＳを送信する例を示す図である。
【図１４】本発明の別の一実施例によって、ユニット当たり２個のアンテナポートを用いる場合のＤｉｓｃｏｖｅｒｙ ＲＳを送信する例を示す図である。
【図１５】上述のような動作を行うための装置を説明する図である。
【発明を実施するための形態】
【００２５】
以下、本発明に係る好適な実施の形態を添付の図面を参照して詳しく説明する。添付の図面と共に以下に開示される詳細な説明は、本発明の例示的な実施の形態を説明するためのもので、本発明を実施できる唯一の実施の形態を示すためのものではない。
【００２６】
以下の詳細な説明は、本発明の完全な理解を提供するために具体的な細部事項を含む。しかし、このような具体的な細部事項無しにも本発明を実施可能であるということが当業者には理解できる。場合によって、本発明の概念が曖昧になることを避けるために、公知の構造及び装置が省略されることもあり、各構造及び装置の核心機能を中心にしたブロック図の形式で図示されることもある。
【００２７】
上述のように、本発明の一実施例によれば、ＮＲシステムの様々な環境下において、初期アクセスに求まれる信号を効率的に送信する方法を提案する。そのために、先ず、論議の出発点として、ＰＳＳ、ＳＳＳ及びＰＢＣＨを詳細に説明する。
【００２８】
図１及び図２は、それぞれ、基本ＣＰを用いる場合及び拡張ＣＰを用いる場合に、同期信号及び放送チャンネル信号を送信する方式を説明する図である。
【００２９】
ＳＳは、ＰＳＳとＳＳＳとからなり、セル探索を行うときに用いられる信号である。図１及び図２は、それぞれ、基本ＣＰ及び拡張ＣＰを用いるシステムの場合におけるＳＳ及びＰＢＣＨの送信のためのフレーム構造を示す図である。ＳＳは、ｉｎｔｅｒ−ＲＡＴ ｍｅａｓｕｒｅｍｅｎｔの容易さのために、ＧＳＭフレームの長さである４．６ｍｓを考慮して、サブフレーム０とサブフレーム５の２番目のスロットでそれぞれ送信され、当該無線フレームに対する境界は、ＳＳＳを介して検出することができる。ＰＳＳは、当該スロットの最後のＯＦＤＭシンボルで送信され、ＳＳＳは、ＰＳＳの直前のＯＦＤＭシンボルで送信される。ＳＳは、３個のＰＳＳと１６８個のＳＳＳとの組み合わせによって、全５０４個の物理層セル識別子(ｐｈｙｓｉｃａｌ ｃｅｌｌ ＩＤ)を送信することができる。また、ＳＳ及びＰＢＣＨは、システム帯域幅のうち中央の６ＲＢ内で送信され、送信帯域幅には関係なくＵＥが検出又は複合できるようにする。
【００３０】
ＳＳの送信ダイバーシティ方式は、単一アンテナポート(ｓｉｎｇｌｅ ａｎｔｅｎｎａ ｐｏｒｔ)のみを用いて、標準では別に定義しない。すなわち、単一アンテナ送信又はＵＥに透明な(ｔｒａｎｓｐａｒｅｎｔ)送信方式(例え、ＰＶＳ、ＴＳＴＤ、ＣＤＤ)を用いてもよい。
【００３１】
一方、以下では、ＰＳＳ及びＳＳＳの符号化過程を説明する。
【００３２】
ＰＳＳ符合は、長さ６３のＺＣ(Ｚａｄｏｆｆ−Ｃｈｕ)シーケンスを周波数領域で定義して、ＰＳＳのシーケンスとして用いる。ＺＣシーケンスは、次式１で定義され、ＤＣ副搬送波に該当するシーケンス成分(ｅｌｅｍｅｎｔ)、ｎ＝３１はパンクチャリング(ｐｕｎｃｔｕｒｉｎｇ)する。次式１において、Ｎｚｃ＝６３である。
【００３３】
【数１】
2019526965.tif 000003
【００３４】
中央部の６ＲＢ(＝７２サブキャリア)のうち、９個の残りのサブキャリアは、常に０の値で送信され、同期実行のためのフィルター設計に容易さをもたらす。全３個のＰＳＳを定義するために、式１において、ｕ＝２５、２９、及び３４の値を用いてもよい。このとき、２９と３４は共役対称(ｃｏｎｊｕｇａｔｅ ｓｙｍｍｅｔｒｙ)の関係であるため、２個の相関(ｃｏｒｒｅｌａｔｉｏｎ)を同時に行うことができる。ここで、共役対称は、次式２の関係を意味して、この特性を用いて、ｕ＝２９と３４に対するワンショット相関器(ｏｎｅ−ｓｈｏｔ ｃｏｒｒｅｌａｔｏｒ)の具現が可能であり、全体の演算量が約３３．３％も減少できる。
【００３５】
【数２】
2019526965.tif 000004
【００３６】
次に、ＳＳＳの符号化を説明する。
【００３７】
ＳＳＳのために用いられるシーケンスは、長さ３１の２個のｍ−シーケンスをインタリービング接合して、２個のシーケンスを組み合わせて、１６８セルグループ識別子(ｃｅｌｌ ｇｒｏｕｐ ＩＤ)を送信する。Ｓ−ＳＳのシーケンスとしてｍ−シーケンスは、周波数選択的環境においてロバストであり、高速アダマール変換(Ｆａｓｔ Ｈａｄａｍａｒｄ Ｔｒａｎｓｆｏｒｍ)を用いた高速ｍ−シーケンス変換によって演算量を減らすことができる。また、２つの短い符号(ｓｈｏｒｔ ｃｏｄｅ)でＳ−ＳＳを構成することは、端末の演算量を減らすために提案された。
【００３８】
図３は、論理領域における２つのシーケンスが物理領域でインタリービングされてマッピングされることを示す図である。
【００３９】
ＳＳＳ符合の生成のために用いられる２つのｍ−シーケンスをそれぞれＳ１、Ｓ２と定義するとき、サブフレーム０のＳＳＳが(Ｓ１，Ｓ２)の２つの組み合わせでセルグループ識別子を送信する場合、サブフレーム５のＳＳＳは(Ｓ２，Ｓ１)に交換(ｓｗａｐｐｉｎｇ)して送信することによって、１０ｍｓフレーム境界を区分することができる。このとき、用いられるＳＳＳ符号は、ｘ５＋ｘ２＋１の生成多項式を使用し、互いに異なる循環遷移(ｃｉｒｃｕｌａｒ  ｓｈｉｆｔ)を用いて全３１個の符号を生成することができる。
【００４０】
受信性能を向上させるために、ＰＳＳベース(ＰＳＳ−ｂａｓｅｄ)の互いに異なる２つのシーケンスを定義して、ＳＳＳにスクランブルするものの、Ｓ１とＳ２に互いに異なるシーケンスでスクランブルする。その後、Ｓ１ベース(Ｓ１−ｂａｓｅｄ)のスクランブリング符号を定義して、Ｓ２にスクランブリングを行う。このとき、ＳＳＳの符号は５ｍｓ単位に交換されるが、ＰＳＳベースのスクランブリング符号は交換されない。ＰＳＳベースのスクランブリング符号は、ｘ５＋ｘ3＋１の生成多項式から生成されたｍ−シーケンスにおいてＰＳＳインデックスによって６個の循環遷移方式で定義してもよく、Ｓ１ベースのスクランブリング符号は、ｘ５＋ｘ４＋ｘ２＋ｘ１＋１の多項式から生成されたｍ−シーケンスにおいてＳ１のインデックスによって８個の循環遷移方式で定義してもよい。
【００４１】
ＮＲ ＰＢＣＨの設計
【００４２】
ＮＲシステムの場合、上述のような様々な条件を考慮すべきである。ＮＲシステムにおいてもＬＴＥシステムと類似したカバレッジを支援して、ＬＴＥ ＰＢＣＨと類似した設計方向(ｅ.ｇ. Ｓｅｌｆ ｄｅｃｏｄｅｒａｂｌｅ、Ｓｐｒｅａｄ ｏｖｅｒ ｍｕｌｔｉｐｌｅ ｓｕｂｆｒａｍｅ、Ｓｉｍｉｌａｒ ＲＳ ｏｖｅｒｈｅａｄ)を考慮して設計してもよい。
【００４３】
ＬＴＥ ＰＢＣＨとの相違点は、ＮＲの場合、単一−ビーム動作及び多重−ビーム動作を支援する点である。多重−ビーム動作では、ビーム掃引(Ｂｅａｍ−ｓｗｅｅｐｉｎｇ)を考慮する必要があるが、このようなビーム掃引が生じることを制限した方が好ましい。
【００４４】
よって、ＮＲでは、ＬＴＥに比べてさらに少ない情報ビット数を有するＭＩＢ(Ｍａｓｔｅｒ Ｉｎｆｏｒｍａｔｉｏｎ Ｂｌｏｃｋ)を仮定した方が好ましい。このような仮定下において、ＢＲ ＰＢＣＨに対する設計を以下のように例示して提案する。
【００４５】
【表１】
2019526965.tif 000005
【００４６】
図４は、本発明の一実施例によるＰＢＣＨ信号の構造を説明するための図である。
【００４７】
表１に示したようなＮＲ ＰＢＣＨは、１２０ＲＥ(Ｒｅｓｏｕｒｃｅ Ｅｌｅｍｅｎｔ)を有すると仮定してもよく、これは、図４のような１２個のＲＢ(Ｒｅｓｏｕｒｃｅ Ｂｌｏｃｋ)(詳細には、２ＯＦＤＭシンボルにわたって６ＲＢ)で２４ＲＥがＤＭＲＳに使用されることと仮定してもよい。
【００４８】
図４のように、隣接した２個のＲＥがＤＭＲＳに用いられることで、ＲＥ ｐａｉｒｉｎｇによって送信ダイバーシティ利得を取得することができる。
【００４９】
かかる仮定下において、ＮＲ ＰＢＣＨをＮＲ−ＳＳと多重化する方法を説明する。
【００５０】
ＮＲ−ＰＢＣＨとＮＲ ＳＳの多重化
【００５１】
端末が初期セルアクセスを行う場合、上述したように、ＰＳＳ／ＳＳＳとＰＢＣＨを確保する必要がある。様々な設計要求条件の存在するＮＲシステムにおいてこれらを効率的に構造化するために、本発明の一実施例では、これら(ＮＲ−ＰＳＳ、ＮＲ−ＳＳＳ及びＮＲ−ＰＢＣＨ)を多重化して多重化されたブロックを構成することを仮定する。この多重化されたブロックは、説明の便宜のために、「ＳＳブロック」と称してもよい。
【００５２】
図５は、本発明の一実施例によるＳＳブロックの概念を説明するための図である。
【００５３】
上述したように、ＮＲ−ＰＳＳ、ＮＲ−ＳＳＳ及びＮＲ−ＰＢＣＨはＳＳブロックとして多重化されて１つの信号単位を構成してもよい。図５では、このようなＳＳブロックＬ個が集合して「ＳＳ Ｂｕｒｓｔ」を構成することを示す。このようなＳＳ ｂｕｒｓｔは、所定の回数繰り返して送信されてもよく、図５はこれを示している。
【００５４】
このように、ＮＲ−ＰＳＳ、ＮＲ−ＳＳＳ、ＮＲ−ＰＢＣＨを別としてリソース割り当てて構成する代わりに、図５のように、ブロック又はバーストで構成することで、効率的に様々な環境に合わせてリソース割り当てを行ってもよい。以下の説明に格別な限定のない限り、ＳＳブロックは、ＮＲ−ＰＳＳ、ＮＲ−ＳＳＳ、ＮＲ−ＰＢＣＨを総称するものと仮定する。また、混同が懸念されない限り、ＮＲ−ＰＳＳ、ＮＲ−ＳＳＳ、ＮＲ−ＰＢＣＨは、単にＰＳＳ、ＳＳＳ、ＰＢＣＨと称する。
【００５５】
図６は、本発明の各実施例によって、ＰＢＣＨをＳＳと多重化する方法を説明するための図である。
【００５６】
図６のように、ＳＳブロック内でＰＳＳとＳＳＳはＴＤＭされることを提案する。ＰＳＳとＳＳＳがＴＤＭされる場合、ＦＤＭされる場合に比べて、時間探索における複雑さが減少できるため、早いセルＩＤ探索に有利である。これによって、本発明では、図６に示されているような３つの形態を検討する。
【００５７】
図６(ａ)は、ＰＢＣＨもＳＳと共にＴＤＭされるものの、ＰＢＣＨがＳＳと同一の帯域幅を有する場合を示す。ＰＢＣＨがＳＳと同一の帯域幅を有しているため、周波数領域においてＳＳブロック探索が簡単になるメリットがある一方、ＰＢＣＨのために複数のＯＦＤＭシンボルが用いられるため、ＳＳブロック検索に時間遅延が生じるというデメリットがある。
【００５８】
図６(ｂ)は、ＰＢＣＨもＳＳと共にＴＤＭされるものの、ＰＢＣＨはＳＳよりも広い帯域幅を有する場合を示す。ＰＢＣＨがＳＳよりも広い帯域幅を有することで、ＰＢＣＨが周波数ダイバーシティ利得を有するように送信できるというメリットがある。
【００５９】
図６(ｃ)は、ＰＢＣＨがＳＳとＦＤＭされる場合を示す。具体的には、図６(ｃ)において、ＰＢＣＨは周波数領域でＳＳがマッピングされる位置の両側に分けてＳＳブロックを構成する例を示す。
【００６０】
ＮＲシステムが６ＧＨｚ以下のシステム帯域を用いる場合、１５ｋＨｚ又は３０ｋＨｚのサブキャリア間隔を仮定している。このような仮定下において、上述した３つのＳＳブロックの構成は、５ＭＨｚ帯域を超えない。
【００６１】
設計の単純化のために、上述した３つの実施例は、４０ＧＨｚ以下の帯域に適用してもよい。４０ＧＨｚ以下の帯域においてＳＳブロックに１２０ｋＨｚ又は２４０ｋＨｚのサブキャリア間隔が用いられる場合、上述した３つの実施例によるＳＳブロックは４０ＭＨｚを超えない。
【００６２】
図４のように、ＰＳＳとＳＳＳは、同一の帯域幅を有していた方が、初期検索ステップにおいて周波数オフセットに対するロバスト性を有する面から有利である。但し、ＰＳＳのサブキャリア間隔は、ＳＳＳのサブキャリア間隔よりも広い方が有利である。
【００６３】
また、本発明の一実施例では、ＳＳＳとＰＢＣＨが同一のＦＦＴサイズであることを許容するように、ＰＢＣＨのサブキャリア間隔をＳＳＳと同一に設定することを提案する。
【００６４】
以下、このような仮定下において、ＮＲシステムの制御信号の送信方法を説明する。
【００６５】
制御信号送信
【００６６】
ＮＲにおいてＭａｓｓｉｖｅ ＭＩＭＯを用いると同時にアンテナポートの数も増加させることができる。このとき、複数のアンテナポートを用いて最大のＳｐａｔｉａｌ Ｄｉｖｅｒｓｉｔｙを得て、またチャンネル推定性能劣化を低減させる方案が考慮される必要がある。また、受信端が送信端のアンテナポートの数を知らない場合でも、受信の複雑さを増加させずに実行可能な検出方法が求まれる。
【００６７】
そのために、本発明の一実施例によれば、制御チャンネルが単一ＯＦＤＭにおいて複数のアンテナを用いて送信されるとき、２アンテナポート以上送信する場合、Ｓｐａｔｉａｌ Ｄｉｖｅｒｓｉｔｙ送信を仮定して、Ｄｅｍｏｄｕｌａｔｉｏｎ Ｒｅｆｅｒｅｎｃｅ ＳｉｇｎａｌはＭ個のアンテナポートがリソースを共有することを提案する。(ＯＣＣ或いはＦＤＭ)Ｄｅｍｏｄｕｌａｔｉｏｎ ＲＳ周囲のＮ個の周波数リソースのＰａｉｒでＳｐａｔｉａｌ Ｄｉｖｅｒｓｉｔｙ送信を行う。
【００６８】
Ｍ個のアンテナポートが共有するＤＭＲＳリソース周囲のＮ個の周波数リソースｐａｉｒを１個のユニットで定義するとき、各ユニットは、周波数単位でＭｕｌｔｉｐｌｅｘｉｎｇされ、隣接したユニット間には互いに異なるアンテナポートが送信を担う。受信端はＤａｔａ Ｄｅｍｏｄｕｌａｔｉｏｎを行うとき、ユニットに含まれたＤＭＲＳでチャンネルを推定して、隣接した周波数リソースｐａｉｒからデータを復元する。
【００６９】
ユニットに含まれるアンテナポートの数が送信端のアンテナポートの数よりも少ないときは、隣接したユニット間に互いに異なるアンテナポートで信号を送信する。また、ユニットに含まれるアンテナの数が送信端のアンテナポートの数と同一のときは、隣接したユニットにおいても同じアンテナポートで送信する。また、ユニットに含まれるアンテナの数が送信端のアンテナポートの数よりも多いときは、ユニットにあるＤＭＲＳリソースのうち送信端のアンテナポートの数に該当する一部のリソースを用いて送信して、隣接したユニットにおいても同一のアンテナポートで送信する。受信端はユニットの間には異なるアンテナポートで信号が送信されることを仮定する。
【００７０】
図７及び図８は、本発明の一実施例によって、ユニット当たり４個のアンテナポート(ＡＰ)を用いる場合、制御チャンネル情報を送信する例を示す図である。
【００７１】
ユニットに含まれたＤＭＲＳにＦｒｅｑｕｅｎｃｙ ｄｏｍａｉｎでＯＣＣを適用する。また、ユニットに含まれたアンテナポートが周波数軸において繰り返して使用されるとき、各ポートに適用するＯＣＣ値を変更する。一例として、ポートごとに循環的にＯＣＣを選択してもよい。このような方法によって、ＯＦＤＭシンボルのＰＡＰＲが高くなることを防止する。
【００７２】
Ｃｏｎｔｒｏｌ ｃｈａｎｎｅｌ Ｄｅｍｏｄｕｌａｔｉｏｎ Ｒｅｆｅｒｅｎｃｅ ＳｉｇｎａｌをＲＲＭ ｍｅａｓｕｒｅｍｅｎｔ、ＣＳＩ ｍｅａｓｕｒｅｍｅｎｔ、又はＴＲＰ ｄｉｓｃｏｖｅｒｙ ＲＳとして用いる。また、ＴＲＰ ｄｉｓｃｏｖｅｒｙ ＲＳとｃｏｎｔｒｏｌ ｃｈａｎｎｅｌ ＤＭＲＳを同一のパターンで構成する。
【００７３】
ＴＲＰ ｄｉｓｃｏｖｅｒｙ ＲＳの送信周期とｃｏｎｔｒｏｌ ｃｈａｎｎｅｌの送信周期とは互いに異なるように設定されてもよく、送信が重なる場合、ＴＲＰ ｄｉｓｃｏｖｅｒｙ ＲＳの一部をＣｏｎｔｒｏｌ ｃｈａｎｎｅｌのＤＭＲＳとして用いる。
【００７４】
図７及び図８のように、４個のアンテナポート単位でユニットを構成する場合、ＯＣＣ−４を適用して、連続した４個のＲＥを用いてシーケンスをマッピングする。
【００７５】
４個のアンテナポート単位でユニットを構成する場合、図７のように、２個のアンテナずつＳＦＢＣを送信して、隣接した他のリソースｐａｉｒでは、他の２個のアンテナを用いてＳＦＢＣ送信を行う。本実施例において、それぞれ異なるアンテナを用いるリソースｐａｉｒは、隣接周波数リソースで用いられてもよい。具体的には、図７及び図８において、互いに異なるハッチングで表された信号は、互いに異なるアンテナを用いるリソースを示す。
【００７６】
本実施例において、ユニットは１２個のＲＥを用いるが、中央の４個のＲＥはＤＭＲＳとして用いて、ＤＭＲＳ周囲の８個は制御信号送信のために用いるが、２ＲＥ ｐａｉｒでＳＦＢＣを行い、隣接した他のリソースＰａｉｒでは他のアンテナで信号を送信する。リソースはスケーラブル(Ｓｃａｌａｂｌｅ)に拡張してもよい。
【００７７】
互いに用途の異なる制御チャンネルをＦＤＭしてもよい。例えば、用途の異なるリソースの例として、ＰＢＣＨ及びＣｏｍｍｏｎ ｃｏｎｔｒｏｌ ｃｈａｎｎｅｌ(Ｐａｇｉｎｇ、ＲＡＲ、ＳＩＢ１／２のためのｇｒａｎｔ或いはｔｒｉｇｇｅｒｉｎｇするｍｅｓｓａｇｅを含むチャンネル)などがある。ＰＢＣＨは可用の周波数リソースの中央部に位置させて、ｃｏｍｍｏｎ ｃｏｎｔｒｏｌ ｃｈａｎｎｅｌは周波数の両側に分散させてもよい。
【００７８】
図９及び図１０は、本発明の一実施例によって、ユニット当たり４個のアンテナポートを用いるＤｉｓｃｏｖｅｒｙ ＲＳを送信する例を示す。
【００７９】
上述のように、Ｃｏｎｔｒｏｌ ｃｈａｎｎｅｌ Ｄｅｍｏｄｕｌａｔｉｏｎ Ｒｅｆｅｒｅｎｃｅ ＳｉｇｎａｌをＲＲＭ ｍｅａｓｕｒｅｍｅｎｔ、ＣＳＩ ｍｅａｓｕｒｅｍｅｎｔ、又はＴＲＰ ｄｉｓｃｏｖｅｒｙ ＲＳとして用いてもよい。また、ＴＲＰ ｄｉｓｃｏｖｅｒｙ ＲＳとｃｏｎｔｒｏｌ ｃｈａｎｎｅｌ ＤＭＲＳを同一のパターンで構成してもよい。
【００８０】
これによって、図９及び図１０に示されたＤｉｓｃｏｖｅｒｙ ＲＳは、図７及び図８に示されたＤＭＲＳと同一の形態で送信される例が示される。
【００８１】
図１１及び図１２は、本発明の別の一実施例によって、ユニット当たり２個のアンテナポートを用いる場合の制御チャンネル送信の形態を示し、図１３及び図１４は、同様な状況においてＤｉｓｃｏｖｅｒｙ ＲＳを送信する例を示す。
【００８２】
２個のアンテナポート単位でユニットを構成する場合、ＯＣＣ−２を適用して、連続した２個のＲＥを用いてシーケンスをマッピングする。２個のアンテナポート単位でユニットを構成する場合、２個のアンテナずつＳＦＢＣを送信する。単一のアンテナ送信においても活用できる。
【００８３】
本実施例において、ユニットは６個のＲＥを用いるが、中央の２個のＲＥはＤＭＲＳとして用いて、ＤＭＲＳ周囲の４個は制御信号送信のために用いて、２ＲＥ ｐａｉｒでＳＦＢを行う。リソースはスケーラブルに拡張してもよい。
【００８４】
図１５は、上述のような動作を行うための装置を説明するための図である。
【００８５】
図１５の無線装置８００は上述した特定のＵＥに、及び無線装置８５０は基地局又はｅＮＢに対応付けられる。
【００８６】
ＵＥは、プロセッサー８１０、メモリ８２０、送受信部８３０を含んでもよく、ｅＮＢ８５０は、プロセッサー８６０、メモリ８７０及び送受信部８８０を含んでもよい。送受信部８３０，８８０は、無線信号を送信／受信し、３ＧＰＰなどの物理層で実行されてもよい。プロセッサー８１０，８６０は、物理層及び／又はＭＡＣ層で実行され、送受信部８３０，８８０と接続されている。プロセッサー８１０，８６０は、上述した干渉制御手順を実行してもよい。
【００８７】
プロセッサー８１０，８６０及び／又は送受信部８３０，８８０は、特定の集積回路(ａｐｐｌｉｃａｔｉｏｎ−ｓｐｅｃｉｆｉｃ ｉｎｔｅｇｒａｔｅｄ ｃｉｒｃｕｉｔ, ＡＳＩＣ)、他のチップセット、論理回路及び／又はデータプロセッサーを含んでもよい。メモリ８２０，８７０は、ＲＯＭ(ｒｅａｄ−ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、記憶媒体及び／又は他の記憶ユニットを含んでもよい。一実施例がソフトウェアによって実行されるとき、上述した方法は、上述した機能を実行するモジュール(例えば、プロセス、機能)として実行されてもよい。このモジュールは、メモリ８２０，８７０に格納されてもよく、プロセッサー８１０，８６０によって実行されてもよい。メモリ８２０，９７０は、プロセッサー８１０, ８６０の内部又は外部に配置されてもよく、公知の手段でプロセッサー８１０, ８６０と接続されてもよい。
【００８８】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。
【産業上の利用可能性】
【００８９】
上述のような本発明は、例示したＮＲシステムのみならず、様々な要求条件の存在する他の無線システムにも適用することができる。
【図１】
2019526965.tif 000006
【図２】
2019526965.tif 000007
【図３】
2019526965.tif 000008
【図４】
2019526965.tif 000009
【図５】
2019526965.tif 000010
【図６（ａ）】
2019526965.tif 000011
【図６（ｂ）】
2019526965.tif 000012
【図６（ｃ）】
2019526965.tif 000013
【図７】
2019526965.tif 000014
【図８】
2019526965.tif 000015
【図９】
2019526965.tif 000016
【図１０】
2019526965.tif 000017
【図１１】
2019526965.tif 000018
【図１２】
2019526965.tif 000019
【図１３】
2019526965.tif 000020
【図１４】
2019526965.tif 000021
【図１５】
2019526965.tif 000022
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
無線通信システムにおいて、送信側機器が信号を送信する方法であって、
主同期信号(ＰＳＳ)、補助同期信号(ＳＳＳ)及び物理放送チャンネル(ＰＢＣＨ)信号を時間周波数領域で多重化して、多重化されたブロックを構成するステップと、
前記多重化されたブロックを受信側機器に送信するステップと、
を含み、
前記ＰＢＣＨ信号が、異なるＯＦＤＭシンボル上で、前記ＰＳＳ及び前記ＳＳＳとＴＤＭ方式で多重化されるとき、前記ＰＢＣＨ信号は、前記ＰＳＳ及び前記ＳＳＳを送信するための帯域幅と比べて、より広い帯域幅を通して送信され、
前記ＰＢＣＨ信号が、同一のＯＦＤＭシンボル上で、前記ＰＳＳ及び前記ＳＳＳの１つ以上とＦＤＭ方式で多重化されるとき、前記ＰＢＣＨ信号は、前記ＰＳＳ又は前記ＳＳＳが送信される周波数の位置と隣接した両側の周波数帯域を通して送信される、信号送信方法。
【請求項２】
前記ＰＢＣＨ信号が送信される各ＯＦＤＭシンボルに対して、複数のＤＭＲＳを送信するためにサブキャリアが割り当てられる、請求項１に記載の信号送信方法。
【請求項３】
前記ＰＳＳ及び前記ＳＳＳは、同一の帯域幅を有する、請求項１に記載の信号送信方法。
【請求項４】
前記ＰＢＣＨ信号は、複数のＯＦＤＭシンボルを通して送信される、請求項３に記載の信号送信方法。
【請求項５】
前記ＰＢＣＨ信号のサブキャリア間隔は、前記ＳＳＳのサブキャリア間隔と同一である、請求項３に記載の信号送信方法。
【請求項６】
前記多重化されたブロックを送信するステップは、既定の時間区間内で、複数の異なるビームを通して、前記多重化されたブロックを送信するステップを含む、請求項１に記載の信号送信方法。
【請求項７】
前記既定の時間区間は、繰り返して構成される、請求項６に記載の信号送信方法。
【請求項８】
無線通信システムにおいて、信号を送信する装置であって、
主同期信号(ＰＳＳ)、補助同期信号(ＳＳＳ)及び物理放送チャンネル(ＰＢＣＨ)信号を時間周波数領域で多重化して、多重化されたブロックを設定するよう構成されたプロセッサーと、
前記多重化されたブロックを受信側機器に送信するよう構成された送受信機と、を含み、
前記ＰＢＣＨ信号が、異なるＯＦＤＭシンボル上で、前記ＰＳＳ及び前記ＳＳＳとＴＤＭ方式で多重化されるとき、前記プロセッサーは、前記ＰＢＣＨ信号が、前記ＰＳＳ及び前記ＳＳＳを送信するための帯域幅と比べて、より広い帯域幅を通して送信されるように制御し、
前記ＰＢＣＨ信号が、同一のＯＦＤＭシンボル上で、前記ＰＳＳ及び前記ＳＳＳの１つ以上とＦＤＭ方式で多重化されるとき、前記プロセッサーは、前記ＰＢＣＨ信号が、前記ＰＳＳ又は前記ＳＳＳが送信される周波数の位置と隣接した両側の周波数帯域を通して送信されるように制御する、信号送信装置。
【請求項９】
前記ＰＢＣＨ信号が送信される各ＯＦＤＭシンボルに対して、複数のＤＭＲＳを送信するためにサブキャリアが割り当てられる、請求項８に記載の信号送信装置。
【請求項１０】
前記プロセッサーは、前記ＰＳＳと前記ＳＳＳが同一の帯域幅を有するように構成する、請求項８に記載の信号送信装置。
【請求項１１】
前記プロセッサーは、前記ＰＢＣＨ信号を複数のＯＦＤＭシンボルを介して送信するように前記送受信機を制御するよう構成される、請求項１０に記載の信号送信装置。
【請求項１２】
前記ＰＢＣＨ信号のサブキャリア間隔は、前記ＳＳＳのサブキャリア間隔と同一である、請求項１０に記載の信号送信装置。
【請求項１３】
前記プロセッサーは、既定の時間区間内で、複数の異なるビームを通して、前記多重化されたブロックを送信するように前記送受信機を制御する、請求項８に記載の信号送信装置。
【国際調査報告】
2019526965.tif 000023
2019526965.tif 000024
2019526965.tif 000025
2019526965.tif 000026